(57)【特許請求の範囲】
【請求項１】
略水平な屋根面およびこの屋根面の端部から上方に立ち上がるパラペットを備えたフラット屋根の防水を行うためのフラット屋根の防水構造であって、
前記屋根面を覆う屋根面用防水シートと、
前記パラペットを覆う立上用防水シートとを備え、
この立上用防水シートは、前記屋根面用防水シートのパラペット側の端部に重なるオーバーラップ部を備え、
前記屋根面用防水シートは、前記パラペット側に延びる帯状の延出部を有し、
この延出部は、互いに隣接する前記立上用防水シートの継ぎ目を塞ぐように設けられていることを特徴とするフラット屋根の防水構造。
【請求項２】
請求項１に記載したフラット屋根の防水構造において、
前記フラット屋根は、建物本体上に複数並設された略矩形平板状のフラット屋根ユニットを含んで構成され、
このフラット屋根ユニットの上面のうち前記屋根面を構成する部分の四隅には、当該フラット屋根ユニットを前記建物本体へ接合する際に利用する切欠き部がそれぞれ形成され、
前記屋根面用防水シートは、各フラット屋根ユニットの上面にそれぞれ固着され、かつ、その端部に前記切欠き部を覆うための帯状の折返し部を備えていることを特徴とするフラット屋根の防水構造。
【請求項３】
請求項２に記載したフラット屋根の防水構造において、
前記延出部は、前記パラペットと直交する前記折返し部をパラペット側に延長することにより構成され、かつ、隣接する前記フラット屋根ユニットのパラペットの継ぎ目を覆うように設けられていることを特徴とするフラット屋根の防水構造。
【請求項４】
請求項２または請求項３に記載したフラット屋根の防水構造において、
前記フラット屋根ユニットは、矩形枠状の下地フレームと、この下地フレームの上に取り付けた複数の軽量気泡コンクリート製の面材とを備え、
この軽量気泡コンクリート製面材に前記切欠き部が形成されていることを特徴とするフラット屋根の防水構造。
【発明の詳細な説明】
【０００１】
【発明の属する技術分野】
本発明は、略水平な屋根面およびこの屋根面の端部から上方に立ち上がるパラペットを備えたフラット屋根の防水を行うためのフラット屋根の防水構造に関する。
【０００２】
【背景技術】
建物の屋上空間の有効利用を図るために、略水平な屋根面を備えたフラット屋根を建物本体の上に設けて歩行屋根としたり、屋根面を空調機の室外機やソーラーユニットの設置場所としたりすることが行われている。
フラット屋根の周縁部には、通常、屋根面の端部から上方に立ち上がるパラペットが設けられている。このようなフラット屋根の防水処理は、防水シートを敷設することにより行われ（特開平９−２１７４２５号公報）、パラペットの表面および屋根面を一枚の防水シートで連続して覆うようにしていた。
【０００３】
一方、工業化率を高めて建設現場での施工期間を短縮するために、複数の矩形平板状のフラット屋根ユニットを予め工場で製造し、これらを建設現場で建物本体の上に並設することによりフラット屋根を組み立てるユニット工法が用いられている。フラット屋根ユニットは、矩形枠状の下地フレームの上に複数の面材を取り付けたものである。
ユニット工法では、フラット屋根ユニットの建物本体への取付けを建設現場において行うため、フラット屋根ユニットの四隅に予め取付作業用の切欠き部を形成しておき、建設現場ではこの切欠き部を通じて下地フレームを建物本体に取り付けるようにしている。
このようなフラット屋根の防水処理は、工場において各フラット屋根ユニットの上面の全面にそれぞれ防水シートを敷設しておき、建設現場において、防水シートの端部を、隣接するフラット屋根ユニットの防水シートの端部と重ね合わせることにより行われている。
【０００４】
この際、フラット屋根ユニットの切欠き部は、取付作業が完了するまで露出させておく必要があるため、予め防水シートの切欠き部に対応した部分に丸孔等の開口部を形成しておき、取付作業が完了した後、切欠き部を蓋で塞いでから、パッチ（サイズの小さい防水シート）により防水シートの開口部を覆うようにしていた。
【０００５】
【発明が解決しようとする課題】
しかし、一枚の防水シートでパラペットと屋根面との両方を覆うと、防水シートが大判になるため、作業性が悪く作業効率が低下するという問題があった。
また、ユニット工法で防水シートの開口部をパッチにより塞ぐ場合、複数箇所にパッチを貼着しなければならないうえ、完全な防水を確保するためにパッチの接着作業を念入りに行う必要があることから、手間がかかり作業効率が悪かった。
このようなパッチの貼着作業を省略する方法として、防水シートの四隅をめくり上げて切欠き部を露出させ、取付け作業が完了した後に、めくっておいた部分で切欠き部を覆う方法が考えられる。しかしながら、防水シートは、パラペットと屋根面との両方に跨って配置されるため、パラペット側の隅部をめくり上げたり展開させたりする際に皺等が発生しやすく、施工が困難で作業時間が長引くという問題があった。
【０００６】
本発明の目的は、防水シートの施工における作業効率の向上を図ることができるフラット屋根の防水構造を提供することにある。
【０００７】
【課題を解決するための手段】
本発明は、図面を参照して説明すると、略水平な屋根面１Ａおよびこの屋根面の端部から上方に立ち上がるパラペット１Ｂを備えたフラット屋根１の防水を行うためのフラット屋根の防水構造であって、前記屋根面を覆う屋根面用防水シート３１と、前記パラペットを覆う立上用防水シート３２とを備え、この立上用防水シートは、前記屋根面用防水シートのパラペット側の端部に重なるオーバーラップ部３２Ａを備え、前記屋根面用防水シートは、パラペット側に延びる帯状の延出部３１Ｂを有し、この延出部は、互いに隣接する立上用防水シートの継ぎ目を塞ぐように設けられていることを特徴とする。
【０００８】
本発明においては、防水シートが屋根面用防水シートと立上用防水シートとに分割され、屋根面とパラペットとがそれぞれ別々の防水シートで被覆されているうえに、各防水シートのサイズを、従来のように防水シートを屋根面およびパラペットに跨って敷設するよりも小さくできるので、防水シートの施工時の作業性が良くなり、作業効率を向上させることができる。
また、立上用防水シートはオーバーラップ部を備えているため、屋根面とパラペットとの継ぎ目部分に良好な防水性を確保できる。
【００１０】
また、隣接する屋根面用防水シートの端部同士を重ね合わせるとともに立上用防水シートの端部同士を重ね合わせると、オーバーラップ部および屋根面用防水シートが二層に重なった部分がさらに四層に重なり合って隆起部が形成され、室外機等の設備の設置場所や歩行屋根としての平面度を十分に確保できないおそれがあるとともに外観が損なわれる場合がある。
これに対し、本発明の屋根面用防水シートには、立上用防水シートの継ぎ目を塞ぐ延出部が設けられているので、立上用防水シートの端部同士を重ねなくても良好な防水性を確保できるから、防水シートが四層に重なることを防止でき、十分な平面度および良好な外観を確保できる。
【００１１】
ここで、フラット屋根が、建物本体４上に複数並設された略矩形平板状のフラット屋根ユニット２０を含んで構成され、このフラット屋根ユニットの上面のうち屋根面を構成する部分の四隅には、当該フラット屋根ユニットを建物本体へ接合する際に利用する切欠き部２２１がそれぞれ形成されている場合、屋根面用防水シートは、各フラット屋根ユニットの上面にそれぞれ固着され、かつ、その端部に切欠き部を覆うための帯状の折返し部３１Ａを備えていることが望ましい。
【００１２】
このような本発明では、屋根面用防水シートを折返し部を除いた部分で屋根面に固着しておき、折返し部をめくった状態で切欠き部を通じてフラット屋根ユニットを建物本体に接合してから、折返し部により切欠き部を覆うようにする。
すなわち、屋根面用防水シートに折返し部を設けることで、切欠き部をパッチで塞がなくてもよくなるので、作業効率の一層の向上を図ることができる。
【００１３】
この場合、延出部は、折返し部をパラペット側に延長することにより構成され、かつ、隣接するフラット屋根ユニットのパラペットの継ぎ目を覆うように設けられていることが好ましく、これによると、防水シートの形状を単純化できるので、防水シートを容易に形成できる。
【００１４】
ここで、フラット屋根ユニットは、矩形枠状の下地フレーム２１と、この下地フレームの上に取り付けた複数の軽量気泡コンクリート製の面材２２とを備え、この軽量気泡コンクリート製面材に前記切欠き部が形成されていることが好ましい。
【００１５】
すなわち、フラット屋根を構成する面材として軽量気泡コンクリート板を用いた場合、切欠き部をパッチで塞ぐ従来の防水処理では、パッチの下地となる部分には、軽量気泡コンクリート板の代わりにセメント板を配置しなければならず、部材の種類が多くなるという問題があった。
本発明では、防水処理にパッチを用いなくてよいうえに、オーバーラップ部により十分な防水性を確保できるので、切欠き部を形成する面材を含む全ての面材を軽量気泡コンクリート製とすることで、部材の共通化を図ることができる。
【００１６】
【発明の実施の形態】
以下、本発明の実施の一形態を図面に基づいて説明する。
図１には、本実施形態のフラット屋根１を備えた二階建てのユニット式建物２が示されている。
このユニット式建物２は、基礎３上に設けられた建物本体４と、この建物本体４の二階部分に設けられたバルコニ５と、建物本体４の二階部分の上に設けられた歩行屋根としてのフラット屋根１とを備えている。
建物本体４は、基礎３上に配置された複数の直方体形状の一階建物ユニット１１と、一部の一階建物ユニット１１の上に積層された二階建物ユニット１２とを有して構成されている。これらの建物ユニット１１，１２は、四隅に立設された四本の柱９１を梁９２で連結した骨組み（図３参照）を備え、この骨組みに外壁材９３、内壁材、床材、天井材等の各種設備部材を組み付けて構成されている。
【００１７】
バルコニ５は、図２にも示すように、二階建物ユニット１２に隣接して一階建物ユニット１１の上に設けられた略矩形平板状の床パネル１３と、この床パネル１３に片持ち支持されたバルコニユニット１４とを有して構成され、バルコニユニット１４の分だけ建物本体４から突出している。また、床パネル１３およびバルコニユニット１４のバルコニ５の外周に対応する端部には、それぞれ手摺５１，５２が設けられている。
【００１８】
床パネル１３は、一階建物ユニット１１と略同じ平面形状を有し、一つの一階建物ユニット１１に対して一つ積層されて、四隅がそれぞれ一階建物ユニット１１の四隅の柱９１に固定されている。
このような床パネル１３は、図２および図３に示すように、矩形枠状のパネルフレーム１３１と、このパネルフレーム１３１上に取り付けられた複数のＡＬＣ（autoclaved light weight concrete）製の面材１３２とを備え、四隅には、一階建物ユニット１１との接合作業を行う際に利用する緊結用開口１３８が形成され、この緊結用開口１３８は緊結用蓋部材１３９により塞がれている。
また、バルコニユニット１４は、溝形鋼１４３を略矩形枠状に組んだバルコニフレーム１４１と、このバルコニフレーム１４１上に取り付けられた複数のＡＬＣ製面材１４２とを備えている。これらの面材１３２，１４２の上には図示しない防水シートが張られて防水処理が施され、これにより、バルコニ５の床面が構成されている。
【００１９】
バルコニフレーム１４１は、図３に示すように、床パネル１３と直交する一対の溝形鋼１４３の床パネル１３側の端部が突出するように組み立てられ、これらの一対の溝形鋼１４３の突出方向端面には、床パネル１３と結合するためのエンドプレート１４４がそれぞれ取り付けられている（一方の溝形鋼１４３のみ図示）。このエンドプレート１４４と、床パネル１３のエンドプレート１４４に対応する位置に取り付けられた接合ボックス１３４とを介して、バルコニユニット１４と床パネル１３とが結合されている。
【００２０】
エンドプレート１４４は、図示しない複数のボルト孔が形成されたプレートであり、溝形鋼１４３よりも厚く形成されている。
接合ボックス１３４は、床パネル１３に取り付ける面が開口された箱状の部材であり、エンドプレート１４４に当接される面には、図示しない複数のボルト孔と、位置決めピン１３５とが設けられている。このような接合ボックス１３４は、パネルフレーム１３１のバルコニユニット１４側の端面に取り付けられ、その位置決めピン１３５をエンドプレート１４４に挿通した状態で、ボルト１４５およびナット１３６によりエンドプレート１４４と連結固定され、これにより、バルコニユニット１４は、パネルフレーム１３１に片持ち支持されている。
【００２１】
図２に戻って、この床パネル１３とバルコニユニット１４との結合作業を行うために、バルコニ５には、バルコニユニット１４および床パネル１３に跨る緊結用開口部５３が形成されている。この緊結用開口部５３は、バルコニユニット１４の角部の面材１４２のエンドプレート１４４に対応した部分に形成された切欠き１４２Ａと、床パネル１３の面材１３２およびバルコニユニット１４の面材１４２の継ぎ目５３１からなり、蓋部材５４により閉塞されている。
床パネル１３およびバルコニユニット１４間の継ぎ目５３１は、前述した接合ボックス１３４およびエンドプレート１４４や手摺５１の幅に応じて開口する部分であり、前記蓋部材５４により覆われるとともに硬質セメント板からなるジョイント面材５５により塞がれている。
このジョイント面材５５は、図３に示すように、パネルフレーム１３１およびバルコニフレーム１４１の各対向面にそれぞれ取り付けられた断面Ｌ字状の受け部材５６上に載置されて固定されている。なお、この受け部材５６は、長尺なものであってもよく、ピース状に形成されて継ぎ目５３１に間欠的に設けられていてもよい。
【００２２】
図１に戻って、フラット屋根１は、略水平な屋根面１Ａおよびこの屋根面１Ａの端部から上方に立ち上がるパラペット１Ｂを備え、二階建物ユニット１２の上に並設された複数のフラット屋根ユニット２０を含んで形成されている。
このフラット屋根ユニット２０は、二階建物ユニット１２と略同じ平面形状を有して略矩形平板状に形成され、一つの二階建物ユニット１２に対して一つのフラット屋根ユニット２０が載せられている。
【００２３】
フラット屋根ユニット２０は、図４に示すように、溝形鋼２１Ａ，２１Ｂ，２１Ｃ，２１Ｄを各開口を内側に向けて矩形枠状に組んだ下地フレーム２１と、この下地フレーム２１の上に取り付けた複数のＡＬＣ（autoclaved light weight concrete）製の面材２２とを備え、この面材２２によりフラット屋根１の屋根面１Ａ（図１参照）が構成されている。
フラット屋根ユニット２０の二階建物ユニット１２との接合部分に対応した四隅に配置された面材２２には、フラット屋根ユニット２０を二階建物ユニット１２へ接合する際に利用する切欠き部２２１がそれぞれ形成されている。この切欠き部２２１の内面には、角材等からなる支持部材２２２が取り付けられている。
【００２４】
切欠き部２２１の下方において、フラット屋根ユニット２０の下地フレーム２１は、図５に示すように、連結プレート２４を介して二階建物ユニット１２の柱９１の上端に連結固定されている。連結プレート２４は、複数のボルト孔２４４と位置決めピン２４１とを備えたプレートであり、この位置決めピン２４１を下地フレーム２１に挿通した状態で、ボルト２４２を下地フレーム２１側から連結プレート２４を貫通して、柱９１に固定されたナット２４３に螺入することにより、下地フレーム２１が二階建物ユニット１２に結合されている。
また、切欠き部２２１の支持部材２２２の上には蓋部材２２３が配置され、これにより、切欠き部２２１が閉塞されている。
【００２５】
図４に戻って、下地フレーム２１の一辺を構成する溝形鋼２１Ｄの側面には、パラペット１Ｂ（図１参照）を構成するＰＡＬＣ（pre-foamed autoclaved light weight concrete）製の側面材２３が取り付けられている。側面材２３と面材２２との間には立上面材２３１が介装され、この立上面材２３１は、溝形鋼２１Ｄの上に垂直に配置されるとともに、断面Ｌ字状のアングル材２３２を介して側面材２３に固定されている。
【００２６】
このように構成されたフラット屋根ユニット２０には、屋根面１Ａを覆う屋根面用防水シート３１と、パラペット１Ｂを覆う立上用防水シート３２とが張られている。これらの防水シート３１，３２は、ナイロン、塩化ビニル等の合成樹脂からなるものである。
屋根面用防水シート３１は、平面視でフラット屋根ユニット２０の上面よりも若干大きい略矩形形状に形成されたものであり、フラット屋根ユニット２０の上面となる面材２２の上面に固着されている。この屋根面用防水シート３１の他のフラット屋根ユニット２０と隣接する側の端部には、切欠き部２２１を覆うための帯状の折返し部３１Ａが設けられている。
また、屋根面用防水シート３１は、パラペット１Ｂ側、つまり、側面材２３側に延びる帯状の延出部３１Ｂを備え、この延出部３１Ｂは、折返し部３１Ａを側面材２３側に延長して構成されている。
【００２７】
立上用防水シート３２は、側面材２３の両側面および上面を覆う帯状のシートであり、屋根面用防水シート３１の側面材２３（パラペット１Ｂ）側の端部に重なるオーバーラップ部３２Ａを備えている。
【００２８】
このように構成された本実施形態では、ユニット式建物２を次のような手順で施工する。
先ず、予め工場において、柱９１および梁９２を組んだ骨組みに各種設備部材を取り付けて一階、二階建物ユニット１１，１２を製造するとともに、床パネル１３、バルコニユニット１４およびフラット屋根ユニット２０を製造する。
すなわち、パネルフレーム１３１を組んで、これに面材１３２および手摺５１を取り付けて床パネル１３を製造するとともに、バルコニフレーム１４１を組んでこれに面材１４２および手摺５２を取り付けてバルコニユニット１４を製造する。
この際、バルコニユニット１４には、エンドプレート１４４および受け部材５６を溶接固定するとともに、床パネル１３には、接合ボックス１３４および受け部材５６を溶接固定し、接合ボックス１３４には、ナット１３６を取り付けておく。
【００２９】
また、フラット屋根ユニット２０は、溝形鋼２１Ａ〜２１Ｄを組んで下地フレーム２１を組み立てて、この下地フレーム２１に面材２２および側面材２３を取り付けるとともに、立上面材２３１をアングル材２３２を介して取り付けることにより製造する。
そして、組み立てたフラット屋根ユニット２０に、防水シート３１，３２を取り付ける。すなわち、屋根面用防水シート３１を面材２２の上面に貼着するとともに、立上用防水シート３２をパラペット１Ｂとなる側面材２３、および立上面材２３１の表面に貼着する。この際、オーバーラップ部３２Ａは、屋根面用防水シート３１の上に重ねるようにするとともに、屋根面用防水シート３１の折返し部３１Ａおよび延出部３１Ｂと、屋根面用防水シート３１の切欠き部２２１に重なる端部と、立上用防水シート３２の長手方向端部は、それぞれ接着剤を付けないで折り返した状態にしておく。
なお、オーバーラップ部３２Ａは、工場でその中間部分のみを屋根面用防水シート３１上に接着してもよく、工場では接着しないで建設現場において全体を接着してもよい。
また、防水シート３１，３２は、片面に予め接着剤が設けられてその上に剥離紙が張られたものであってもよい。
【００３０】
このように組み立てた一階、二階建物ユニット１１，１２、床パネル１３、バルコニユニット１４およびフラット屋根ユニット２０を建設現場に搬送した後、建設現場において、一階建物ユニット１１を基礎３上に並設し、これらの一階建物ユニット１１の上に二階建物ユニット１２および床パネル１３をそれぞれ載置して固定する。
床パネル１３の一階建物ユニット１１への固定作業は、床パネル１３の四隅に設けられた緊結用開口１３８を通じて行い、固定作業が完了したら緊結用蓋部材１３９により緊結用開口１３８を閉塞する。
【００３１】
この後、バルコニユニット１４を吊り込んで床パネル１３の位置決めピン１３５にエンドプレート１４４を嵌合させ、その状態でボルト１４５をエンドプレート１４４側から接合ボックス１３４のナット１３６に締め込んで固定する。
そして、床パネル１３およびバルコニユニット１４の継ぎ目５３１で向かい合った受け部材５６の上にジョイント面材５５を載せて固定する。
【００３２】
また、二階建物ユニット１２の各柱９１の上に連結プレート２４を載せて、その上にフラット屋根ユニット２０を載置する。このとき、フラット屋根ユニット２０の下地フレーム２１を連結プレート２４の位置決めピン２４１に挿通させ、その状態で下地フレーム２１と柱９１とをボルト２４２およびナット２４３により締結固定する。
この締結作業は、図６に示すように、屋根面用防水シート３１の折返し部３１Ａおよび立上用防水シート３２の端部をめくって露出させた切欠き部２２１を通じて行い、作業が完了したら、切欠き部２２１の支持部材２２２の上に蓋部材２２３を載せて固定して切欠き部２２１を閉塞するとともに、立上面材２３１の継ぎ目にジョイント立上面材２３４を配置する。
【００３３】
次いで、図７に示すように、屋根面用防水シート３１の端部および折返し部３１Ａを展開して、折返し部３１Ａを隣接する屋根面用防水シート３１の上に重ねて接着し、蓋部材２２３を被覆する。
続いて、図８に示すように、屋根面用防水シート３１の延出部３１Ｂをパラペット１Ｂとなる側面材２３に被せるように展開して貼着する。これにより、隣接する二つの側面材２３の継ぎ目は延出部３１Ｂで覆われる。
この後、図９に示すように、立上用防水シート３２の端部を延ばして延出部３１Ｂおよび折返し部３１Ａの上に重ねて接着する。これにより、隣接する立上用防水シート３２の継ぎ目は、下側の延出部３１Ｂにより確実に塞がれる。
このようにして、各フラット屋根ユニット２０の防水シート３１，３２の取付けを行い、本実施形態のユニット式建物２を形成する。
【００３４】
このような本実施形態によれば、以下のような効果がある。
すなわち、防水シートが屋根面用防水シート３１と立上用防水シート３２とに分割され、屋根面１Ａとパラペット１Ｂとがそれぞれ別々の防水シート３１，３２で被覆されているので、屋根面１Ａおよびパラペット１Ｂを一枚の防水シートで覆うよりも各防水シート３１，３２のサイズを小さくできるから、防水シート３１，３２の施工時の作業性が良くなり、作業効率を向上させることができる。また、立上用防水シート３２はオーバーラップ部３２Ａを備えているため、屋根面１Ａおよびパラペット１Ｂの継ぎ目部分に良好な防水性を確保できる。
【００３５】
また、屋根面用防水シート３１には、立上用防水シート３２同士の継ぎ目を塞ぐ延出部３１Ｂが設けられているので、立上用防水シート３２の端部同士を重ねなくても良好な防水性を確保できるから、防水シートが四層に重なることを防止でき、屋根面１Ａに良好な平面度を確保できるとともに良好な外観が得られる。
【００３６】
さらに、屋根面用防水シート３１には、切欠き部２２１を覆うための折返し部３１Ａが設けられているため、切欠き部２２１をパッチで塞がなくてもよくなるので、作業効率の一層の向上を図ることができる。
そして、延出部３１Ｂは、折返し部３１Ａをパラペット１Ｂ側に延長して構成されているため、屋根面用防水シート３１の形状を単純化できるので、容易に形成できる。
さらに、折返し部３１Ａおよびオーバーラップ部３２Ａにより切欠き部２２１に十分な防水性を確保できる。
また、切欠き部２２１を従来のパッチで塞がなくてもよいので、面材がパッチの下地となる材質に制限されることがなくなる。ここで、切欠き部２２１を形成する面材２２を含む全ての面材２２を軽量気泡コンクリート製としたため、部材の共通化を図ることができる。
【００３７】
なお、本発明は前記実施形態に限定されるものではなく、本発明の目的を達成できる他の構成等を含み、以下に示すような変形なども本発明に含まれる。
すなわち、前記実施形態では、一つのフラット屋根ユニットに対して屋根面用防水シートおよび立上用防水シートを一枚ずつ貼着した場合について説明したが、一つのフラット屋根ユニットに対して複数の屋根面用防水シートおよび立上用防水シートを取り付けてもよい。この場合、屋根面用防水シートの端部は互いに重ねて設置することが好ましい。
或いは、複数のフラット屋根ユニットに跨って一枚の屋根面用防水シートや一枚の立上用防水シートを取り付けてもよい。
【００３８】
さらに、屋根面用防水シートの継ぎ目と立上用防水シートの継ぎ目は一致しないでずれていてもよく、この場合、屋根面用防水シートの延出部を立上用防水シートの継ぎ目に対応した位置に設けることが好ましい。
前記実施形態では、立上用防水シートは、互いの端部を突き合わせるように配置したが、立上用防水シート３２の端部は互いに重ね合わせてもよく、この場合、屋根面用防水シートの延出部３１Ｂは省略してもよい。
【００３９】
前記実施形態では、ユニット式建物のフラット屋根について説明したが、略水平な屋根面とパラペットとを備えたフラット屋根であればその種類は限定されず、例えば、在来工法やパネル工法等により構築された建物のフラット屋根にも適用できる。
【００４０】
【発明の効果】
以上に述べたように、本発明によれば、略水平な屋根面およびこの屋根面の端部から上方に立ち上がるパラペットを備えたフラット屋根の防水を行うためのフラット屋根の防水構造において、屋根面およびパラペットを屋根面用防水シートと立上用防水シートとでそれぞれ被覆することで、防水シートのサイズを屋根面およびパラペットを同じ防水シートで被覆するよりも小さくできるので、防水シートの施工時の作業性が良くなり、作業効率を向上させることができる。
また、立上用防水シートはオーバーラップ部を備えているため、屋根面とパラペットとの継ぎ目部分に良好な防水性を確保できる。
【図面の簡単な説明】
【図１】本発明の一実施形態を示す斜視図。
【図２】前記実施形態のバルコニを示す平面図。
【図３】前記実施形態のバルコニと床パネルとの接合部分を示す断面図。
【図４】前記実施形態のフラット屋根ユニットを示す分解斜視図。
【図５】前記実施形態のフラット屋根ユニットと二階建物ユニットとの接合部分を示す断面図。
【図６】前記実施形態の防水シートを施工する手順を示す斜視図。
【図７】前記実施形態の防水シートを施工する手順を示す他の斜視図。
【図８】前記実施形態の防水シートを施工する手順を示すさらに他の斜視図。
【図９】前記実施形態の防水シートを施工する手順を示すさらにまた他の斜視図。
【符号の説明】
１  フラット屋根
１Ａ  屋根面
１Ｂ  パラペット
２０  フラット屋根ユニット
２１  下地フレーム
２２  面材
３１  屋根面用防水シート
３１Ａ  折返し部
３１Ｂ  延出部
３２  立上用防水シート
３２Ａ  オーバーラップ部
２２１  切欠き部
【図１】
0004031570.tif 000002
【図２】
0004031570.tif 000003
【図３】
0004031570.tif 000004
【図４】
0004031570.tif 000005
【図５】
0004031570.tif 000006
【図６】
0004031570.tif 000007
【図７】
0004031570.tif 000008
【図８】
0004031570.tif 000009
【図９】
0004031570.tif 000010